【事件の表示】
　特願２００１−１８４１６４「超音波診断装置」拒絶査定不服審判事件〔平成１５年　１月　７日出願公開、特開２００３−　　　５８９〕について、次のとおり審決する。
【結　論】
　本件審判の請求は、成り立たない。
【理　由】
第１　手続の経緯 
　本願は、平成１３年６月１９日を出願日とする出願であって、平成２３年４月２２日付けで拒絶査定がなされ、これに対し、同年７月３０日に拒絶査定不服審判の請求がなされるとともに、同日付けにて手続補正（以下、「本件補正」という。）がなされたものである。
　さらに、同年１０月１８日付けで審尋がなされ、回答書が同年１２月２０日付けで請求人より提出されたものである。
　
第２　本件補正についての補正の却下の決定　 
［補正の却下の決定の結論］　 
　本件補正を却下する。　 
　　 
［理由］　 
１　補正後の本願発明　 
　本件補正により、補正前の特許請求の範囲の請求項１は、
「【請求項１】　被検者に超音波を送信し、該被検者からの反射エコー信号を受信する探触子と、
　前記受信反射エコー信号を画像化処理して超音波画像を形成する画像化処理部と、
　前記超音波画像を用いて各種計測処理し、その各種の計測結果、被検者情報及び超音波画像を表示する表示部と、を備えた超音波診断装置であって、
　前記被検者情報、計測結果及び超音波画像の識別ＩＤの中のうちから被検者レポート画面に表示する表示項目を選択し、前記表示項目の位置、内容及び変換倍率を設定する表示項目設定部と、
　前記表示項目とその表示項目の位置、内容及び変換倍率に基づき診療科毎又は病名毎の個々の使用目的に応じた被検者レポート画面を生成し、該生成された被検者レポート画面を前記表示部に表示させる制御部と、を備えたことを特徴とする超音波診断装置。」
から
「【請求項１】　被検者に超音波を送信し、該被検
者
　前記
反射エコー
　前記超音波画像を用いて各種計測処理し、その各種の計測結果、被検者情報及び超音波画像を表示する表示部と、
　
複数の表示項目とその位置、内容及び変換倍率の予め設定した診療科又は病名別テンプレートとして記憶する記憶部と、
複数の診療科又は病名別テンプレートのうちから任意の診療科又は病名別テンプレートを選択するテンプレート選択部と、
任意の診療科又は病名別テンプレートに含まれるコメント欄のコメント、
　
前記画像化処理部と前記表示部と前記記憶部とテンプレート選択部と表示項目設定部とを制御するものであって、
に検索キーワードとして表示される前記コメントを
と補正された。（下線は補正箇所を示す。）　 
　
　本件補正は、補正前の請求項１に係る発明に補正前の請求項２に係る発明を組み込むにあたって、「
複数の病名別テンプレートのうちから任意に選択するテンプレート選択部」
複数の診療科又は病名別テンプレートのうちから任意の診療科又は病名別テンプレートを選択するテンプレート選択部」
病名別テンプレート
任意の診療科又は病名別テンプレートに含まれるコメント欄のコメント、
任意の診療科又は病名別テンプレートに含まれるコメント欄のコメント、
「前記画像化処理部と前記表示部と前記記憶部とテンプレート選択部と表示項目設定部とを制御するものであって、」と制御手段の制御内容を限定し、
を
に検索キーワードとして表示される前記コメントを
　したがって、本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで、本件補正後の前記請求項１に係る発明（以下「補正発明」という。）が、特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願出願前に頒布され、原査定の拒絶の理由に引用された刊行物である特開平９−１７３３３２号公報（以下「刊行物１」という。）には、「超音波診断装置」について、図面とともに次の事項が記載されている。 
（１−ア）　「【特許請求の範囲】
【請求項１】  超音波の送受波により
計測データを取得する送受波手段と、
全検査項目から選択された複数の検査項目を含む検査リポートの書式を設定する書式編集手段と、
前記設定された検査リポートの書式が登録された書式登録手段と、
前記書式登録手段に登録された書式で、各検査項目とその検査値とが記述された検査リポートを作成するリポート作成手段と、を含むことを特徴とする超音波診断装置。
【請求項２】  請求項１記載の装置において、
前記書式登録手段には複数の書式を登録でき、
前記複数の書式の中からいずれかの書式を選択できることを特徴とする超音波診断装置。
・・・」
　
（１−イ）　「【０００１】【発明の属する技術分野】本発明は、超音波の送受波により、超音波画像の形成や各種の計測値・演算値の算出を行う超音波診断装置に関する。
【０００２】
【従来の技術】近年、超音波診断装置はより高機能化されており、Ｂモード画像やドプラ画像などの表示機能の他に、各種の演算機能を備えている。すなわち、超音波診断装置においては、超音波画像情報のような定性的情報に加えて、ユーザーの希望により、客観的な数値としての定量的情報も得ることができる。かかる定量的な情報としては、血流速度などの計測値（１次情報）やその計測値を利用して演算される血流量などの演算値（２次情報）などが挙げられる。超音波診断装置にもよるが、これらの
計測値や演算値（以下、検査値）の項目（以下、検査項目）は、循環器科、消化器科、産科などといった各科目ごとに数十から百数十も具備されており、操作者は必要な検査項目を選択して画像表示や印字出力などを行わせている。
【０００４】
【発明が解決しようとする課題】しかしながら、そのような検査リポートは、各科目ごとに当然異なり、しかも各施設によってその書式は異なっている。すなわち、
検査リポートを構成する検査項目の内容や個数は定型化されておらず、
【０００５】このため、超音波検査技師などは超音波診断により得られた多数の検査値の中から所定の検査値を自らピックアップして、それを書き写しや切り張りなどによって１枚の書面にまとめ医師に提出するしかなかった。それゆえ、その書面化作業（リポート作成作業）はきわめて効率が悪く、特に集団検診では患者一人に要する検査時間が長くなり、超音波検査技師などの負担が大きかった。
【０００６】本発明は、上記従来の課題に鑑みなされたものであり、その目的は、超音波診断に係わる検査リポートの書式を自在に構成できるようにし、検査リポートの作成の際の労力を軽減することにある。」（第１６頁１６行〜第１８頁下から３行）
　
（１−ウ）　「【０００７】【課題を解決するための手段】上記目的を達成するために、本発明は、超音波の送受波により計測データを取得する送受波手段と、前記計測データに基づいて、各検査項目に対応する検査値を求める検査値演算手段と、全検査項目から
選択された複数の検査項目を含む検査リポートの書式を設定する書式編集手段
【０００８】上記構成によれば、書式編集手段によってあらかじめリポートの書式が書式登録手段に登録され、超音波診断を行うと、リポート作成手段は、登録された書式で検査リポートを作成する。すなわち、リポート作成手段は、超音波診断結果の中から、その書式中に含まれる検査項目に対応する検査値をピックアップして、リポート内の各検査項目にその検査値を対応付けて記入することにより、検査リポートを作成する。よって、あらかじめ書式を登録しておけば超音波診断後に自動的にリポートを作成でき、人的な労力を削減できる。
【０００９】本発明の好適な態様では、前記書式登録手段には複数の書式を登録でき、前記複数の書式の中からいずれかの書式を選択できる。すなわち、
各科目ごとに書式を登録しておき、あるいは疾病内容ごとに書式を登録しておき、レポート作成時にいずれかの書式を選択して検査リポートを自動作成させるものである
　
（１−エ）　「 【００１１】【発明の実施の形態】以下、本発明の好適な実施形態を図面に基づいて説明する。
【００１２】図１には、本発明に係る超音波診断装置の好適な実施形態が示されており、図１はその要部構成が示されている。
【００１３】
図１において、超音波探触子（図示せず）により超音波の送受波が行われ、これにより得られた受信信号が超音波画像形成部１０に入力される。この超音波画像形成部１０は、超音波画像を形成するものであり、
このモニタ１４に超音波画像が表示される。
受信データは検査値演算部１６にも入力されている。この検査値演算部１６は、血流速度などの計測値やその計測値を利用して算出される血流量などの演算値、すなわち各種の検査値を演算するものであ
各検査値データは表示出力部１２を介してモニタ１４に送られ、超音波画像と共にそれらの検査値が画像表示される。
【００１５】
リポート作成部２０は、操作者が設定した所定のリポート書式で超音波診断結果である検査リポートを作成するものであり
　
（１−オ）　「【００１６】
リポート作成部２０はその検査リポートの作成にあたって、メモリなどで構成された書式登録部２６に登録されたリポート様式にしたがってその検査リポートの作成を行っている。書式編集部２８は、その書式登録部２６に登録するリポート書式を編集・設定するものである。
　
（１−カ）　「 【００１９】
図２には、検査リポートのデフォルト書式が示されている。この図２に例示する書式は、書誌的情報表示エリア１００、検査値表示エリア１０２、コメント表示エリア１０４で構成される。
・・・
【００２３】なお、図２に示した書誌的情報表示エリア１００には、例えば超音波診断が行われた日、患者のＩＤ番号などのほか、超音波診断装置の設定条件などが記入される。
コメント表示エリア１０４には、例えば入力装置３０を利用して入力されたコメント文が記入される。
　
（１−キ）　「【００２５】図６に示した検査リポートでは定量的な検査値のみが記入されていたが、もちろん
これらの検査値に合わせて超音波画像データを挿入することも可能である。
　
　上記（１−ア）〜（１−キ）の記載と図１〜６を参照すると、上記刊行物１には、 次の発明が記載されていると認められる。
「超音波探触子により超音波の送受波が行われ、これにより得られた受信信号が入力され超音波画像を形成する超音波画像形成部１０に入力されている受信データを用いて血流速度などの計測値やその計測値を利用して算出される血流量などの演算値、すなわち各種の検査値を演算する検査値演算部１６と、
各検査値データは表示出力部１２を介して送られ、超音波画像と共にそれらの検査値が画像表示されるモニタ１４と、
各科目ごとに書式を登録しておき、あるいは疾病内容ごとに書式を登録しておき、レポート作成時にいずれかの書式を選択して検査リポートを自動作成させるものであり
書誌的情報表示エリア１００、検査値表示エリア１０２、コメント文が記入されるコメント表示エリア１０４、超音波画像データで構成される書式 を編集・設定する書式登録部２６と、
前記書式登録手段に登録された書式で、各検査項目とその検査値とが記述された検査リポートを作成するリポート作成手段と、
を含む超音波診断装置。」（以下、「引用発明」という。）
　
３　対比・判断 
　補正発明と引用発明とを対比する。
　
ア　引用発明の「超音波探触子」、「超音波画像形成部１０」、「モニタ１４」、および「超音波診断装置」が、補正発明の「探触子」、「画像化処理部」、「表示部」、および「超音波診断装置」に相当することは、その構造・機能からみて明らかである。
　
イ　補正発明の「各種計測処理」は、コンピュータ内での処理であるから演算である。そして、引用発明の「検査値演算部１６」は、「各種の検査値を演算する」のであるから、補正発明の「各種計測処理」に相当することになる。
　
ウ　引用発明の「書式」は「各科目ごとに」、「あるいは疾病内容ごとに書式を登録しておき、レポート作成時にいずれかの書式を選択」して用いるのであるから、引用発明の「書式」が補正発明の「テンプレート」に対応することは明らかである。そして、引用発明は「書式を登録しておき、」「書式を選択」するのであるから、その書式を登録するための「記憶部」と選択するための「テンプレート選択部」を有することは明らかである。また、引用発明の「書式登録部２６」は「書式 を編集・設定する」のであるから補正発明の「表示項目設定部」を有することは明らかである。
　そうすると、引用発明の「各科目ごとに書式を登録しておき、あるいは疾病内容ごとに書式を登録しておき、レポート作成時にいずれかの書式を選択して検査リポートを自動作成させるものであり、
書誌的情報表示エリア１００、検査値表示エリア１０２、コメント表示エリア１０４超音波画像データで構成される書式 を編集・設定する書式登録部２６」「を含む超音波診断装置」と補正発明の「複数の表示項目とその位置、内容及び変換倍率の予め設定した診療科又は病名別テンプレートとして記憶する記憶部と、
　複数の診療科又は病名別テンプレートのうちから任意の診療科又は病名別テンプレートを選択するテンプレート選択部と、
　任意の診療科又は病名別テンプレートに含まれるコメント欄のコメント、前記被検者情報、計測結果及び超音波画像の識別ＩＤの中のうちから被検者レポート画面に表示する表示項目を選択し、前記表示項目の位置、内容及び変換倍率を設定する表示項目設定部」「を備えた」「超音波診断装置」とは
「複数の表示項目とその位置、内容及び変換倍率の予め設定した診療科又は病名別テンプレートとして記憶する記憶部と、
　複数の診療科又は病名別テンプレートのうちから任意の診療科又は病名別テンプレートを選択するテンプレート選択部と、
　任意の診療科又は病名別テンプレートに含まれるコメント欄のコメント、前記被検者情報、計測結果及び超音波画像の識別ＩＤの中のうちから被検者レポート画面に表示する表示項目を選択し、前記表示項目の位置、内容及び変換倍率を設定する表示項目設定部」「を備えた」「超音波診断装置」の点で共通する。
　
エ　引用発明は「超音波診断装置」であるから「制御手段」を有することは明らかであり、引用発明は「前記書式登録手段に登録された書式で、各検査項目とその検査値とが記述された検査リポートを作成するリポート作成手段」を備えるものであり、「レポート作成時にいずれかの書式を選択して検査リポートを自動作成させるものであ」るから、引用発明の制御手段がこれらの機能も制御することは明らかである。
　
オ　引用発明の「書式 」の「コメント文」と補正発明の「被検者レポート画面に検索キーワードとして表示される前記コメント」とは「被検者レポート画面に表示される前記コメント」の点で共通する。
　
　そうすると、両者は、　 
（一致点）  
　「被検者に超音波を送信し、該被検者からの反射エコー信号を受信する探触子と、
　前記反射エコー信号を画像化処理して超音波画像を形成する画像化処理部と、
　前記超音波画像を用いて各種計測処理し、その各種の計測結果、被検者情報及び超音波画像を表示する表示部と、
　複数の表示項目とその位置、内容及び変換倍率の予め設定した診療科又は病名別テンプレートとして記憶する記憶部と、
　複数の診療科又は病名別テンプレートのうちから任意の診療科又は病名別テンプレートを選択するテンプレート選択部と、
　任意の診療科又は病名別テンプレートに含まれるコメント欄のコメント、前記被検者情報、計測結果及び超音波画像の識別ＩＤの中のうちから被検者レポート画面に表示する表示項目を選択し、前記表示項目の位置、内容及び変換倍率を設定する表示項目設定部と、
　前記画像化処理部と前記表示部と前記記憶部とテンプレート選択部と表示項目設定部とを制御するものであって、前記表示項目とその表示項目の位置、内容及び変換倍率に基づき診療科毎又は病名毎の個々の使用目的に応じた被検者レポート画面を生成し、該生成された被検者レポート画面に表示される前記コメントを前記表示部に表示させる制御部と、を備えたことを特徴とする超音波診断装置。」である点で一致し、以下の点で相違するといえる。　
　
（相違点１）　
　テンプレートの設定項目について、補正発明では、「表示項目の変換倍率」を有するのに対して、引用発明では、変換倍率について特に特定していない点。
　
（相違点２）　
　「被検者レポート画面に表示される」「コメント」について、補正発明では、「検索キーワードとして表示される」のに対して、引用発明では、特に特定していない点。
　
（１）相違点１についての検討
　書誌的情報表示エリア１００、検査値表示エリア１０２、コメント文が記入されるコメント表示エリア１０４、超音波画像データで構成される書式 の編集・設定において見栄え等を考慮して大きさを変えることは慣用技術であるから、引用発明の書式に「表示項目の変換倍率」を明示することは、当業者が必要に応じて適宜成し得る設計事項にすぎない。
　
（２）相違点２についての検討
　「検索キーワードとして表示される」「コメント」とは、コメントを検索キーワードとして用いるということである。　
　本願出願前に頒布された刊行物である特開平１１−３５３３２７号公報には「【特許請求の範囲】【請求項１】  医用画像と前記医用画像にアノテーション機能で記述されたコメントとを関連付けて格納するメモリと、前記メモリから、前記コメントをキーとして医用画像を検索する検索手段と、検索された医用画像を前記コメントとともに表示する表示手段とを備えることを特徴とする画像処理装置。」と記載されており、本願出願前に頒布された刊行物である特許第２７６９００５号公報には「【特許請求の範囲】（１）・・・該Ｘ線撮影条件の中から所望するものを選択する際の指標となるコメントを記憶するメモリ装置と、前記各メモリ装置に格納された前記各Ｘ線撮影条件および上記コメントを表示する表示装置と、を具備するＸ線制御装置において、・・・前記Ｘ線撮影条件を表示する画面の一領域に、前記各コメントにおいて予め設定したキーワードを表示する挿入表示手段と、を具備することを特徴とするＸ線制御装置。」と記載されているように「検索キーワードとして表示される」「コメント」は周知である。
　してみると、引用発明において、周知の技術的事項を適用して、相違点２に記載の補正発明の構成とすることは、当業者が容易に想到するものといえる。
　
（３）そして、補正発明の作用効果は、引用発明、および周知の技術的事項から当業者が予測し得る範囲内のものにすぎない。
　
（４）したがって、補正発明は、引用発明、および周知の技術的事項に基づいて当業者が容易に発明をすることができたものであるというべきであり、特許法第２９条第２項の規定により、特許出願の際独立して特許を受けることができないものである。
　　 
４　まとめ　 
　以上のとおりであるから、本件補正は、平成１８年法改正前の特許法第１７条の２第５項において準用する同法第１２６条第５項の規定に違反するので、同法第１５９条第１項の規定において読み替えて準用する同法第５３条第１項の規定により、却下すべきものである。　
　
第３　本願発明について　 
１　本願発明　 
　本件補正は、上記のとおり却下されることとなるので、本願の請求項１〜２に係る発明は、平成２３年４月１日付け手続補正書により補正された明細書の特許請求の範囲の請求項１〜２に記載された事項により特定されたものであって、その請求項１に係る発明は、次のとおりであると認める。　 
「【請求項１】　被検者に超音波を送信し、該被検者からの反射エコー信号を受信する探触子と、
　前記受信反射エコー信号を画像化処理して超音波画像を形成する画像化処理部と、
　前記超音波画像を用いて各種計測処理し、その各種の計測結果、被検者情報及び超音波画像を表示する表示部と、を備えた超音波診断装置であって、
　前記被検者情報、計測結果及び超音波画像の識別ＩＤの中のうちから被検者レポート画面に表示する表示項目を選択し、前記表示項目の位置、内容及び変換倍率を設定する表示項目設定部と、
　前記表示項目とその表示項目の位置、内容及び変換倍率に基づき診療科毎又は病名毎の個々の使用目的に応じた被検者レポート画面を生成し、該生成された被検者レポート画面を前記表示部に表示させる制御部と、を備えたことを特徴とする超音波診断装置。」（以下、「本願発明」という。）
　
２　引用刊行物およびその記載事項　 
　本願出願前に頒布された刊行物１およびその記載事項は、上記「第２　２」に記載したとおりである。　 
　　 
３　当審の判断　 
　本願発明は、補正発明の「被検者レポート画面に検索キーワードとして表示される前記コメントを前記表示部に表示させる制御部」を「被検者レポート画面を前記表示部に表示させる制御部」として被検者レポート画面の限定を省き、
  補正発明の「任意の診療科又は病名別テンプレートに含まれるコメント欄のコメント、前記被検者情報、計測結果及び超音波画像の識別ＩＤの中のうちから被検者レポート画面に表示する表示項目を選択し、前記表示項目の位置、内容及び変換倍率を設定する表示項目設定部」を「前記被検者情報、計測結果及び超音波画像の識別ＩＤの中のうちから被検者レポート画面に表示する表示項目を選択し、前記表示項目の位置、内容及び変換倍率を設定する表示項目設定部」としてテンプレートの限定を省き、
  本願発明は、補正発明の「複数の診療科又は病名別テンプレートのうちから任意の診療科又は病名別テンプレートを選択するテンプレート選択部」を「複数の病名別テンプレートのうちから任意に選択するテンプレート選択部」としてテンプレートの限定を省く共に、請求項１〜２に分解して再構成したものの請求項１に相当する
　そうすると、本願発明の構成要件を全て含む補正発明が、上記「第２　３」において検討したとおり、引用発明、および周知の技術的事項に基づいて、当業者が容易に発明をすることができたものであるから、本願発明も、同様の理由により、引用発明、および周知の技術的事項に基づいて当業者が容易に発明をすることができたものであるというべきである。
　
第４　まとめ　 
　以上のとおり、本願発明は、特許法第２９条第２項の規定により特許を受けることができないから、その他の請求項について言及するまでもなく、本願出願は拒絶されるべきものである。　 
　よって、結論のとおり審決する。